(57)【要約】【課題】  安価簡単な構造で組立しやすく歯跳びを生じさせないようにすること。【解決手段】  送りモータによりリードスクリュ１６及びティース１８を介して光ピックアップをガイドロッド１５に沿って前後進ｉ，ｊさせ、該光ピックアップ３からディスクにレーザ光を投射し、その反射光に基づいてディスクに記録されている情報を読み取るようにしたディスク装置において、前記ティース１８が、合成樹脂材からなり、光ピックアップ３のスライドベース３ａに止着した基枠部２６と、該基枠部２６に前後進ｉ，ｊ方向所定間隔ｈをおいて並列する複数の弾性変位可能な弾性アーム２７を介して一体形成された係合枠２８と、該係合枠２８の内面に一体形成された歯部２９とを有し、係合枠２８をリードスクリュ１６の上下縁に係合させ、歯部２９をリードスクリュ１６の螺旋溝１６ａに嵌入させるようにした。【選択図】        図１
2010282693.tif 000002
【特許請求の範囲】
【請求項１】
ディスク載置用トレイを移動可能に支持するローダーシャーシ内にターンテーブル及び
光ピックアップを搭載したトラバースシャーシが上下動可能に配置され、前記光ピックア
ップがトラバースシャーシ上のガイドロッドに前後進可能に支持され、該ガイドロッドと
平行するリードスクリュと該リードスクリュを回転させるための送りモータとがトラバー
スシャーシに配置され、光ピックアップに設けたティースがリードスクリュに噛合されて
おり、ターンテーブルによりディスクを高速回転させ、送りモータによりリードスクリュ
及びティースを介して光ピックアップをガイドロッドに沿って前後進させ、該光ピックア
ップからディスクにレーザ光を投射し、その反射光に基づいてディスクに記録されている
情報を読み取るようにしたディスク装置において、前記ティースが、合成樹脂材からなり
、光ピックアップのスライドベースに止着した基枠部と、該基枠部に前後進方向所定間隔
をおいて並列する複数の弾性変位可能な弾性アームを介して一体形成された係合枠と、該
係合枠の内面に一体形成された歯部とを有し、係合枠をリードスクリュの上下縁に係合さ
せ、歯部をリードスクリュの螺旋溝に嵌入させるようにしたことを特徴とするディスク装
置。
【請求項２】
前記係合枠が、リードスクリュの上下縁に当接する上下両板部を備えた横断面略Ｕ字状
板材からなり、その上板部または下板部に歯部が一体形成されていることを特徴とする請
求項１に記載のディスク装置。
【請求項３】
前記係合枠が、所定幅の空隙を間において並列されリードスクリュの上縁に当接する一
対の細板部と前記空隙に対向してリードスクリュの下縁に当接する下板部とを備えた横断
面略Ｕ字状部材からなり、その下板部に歯部が一体形成されていることを特徴とする請求
項１に記載のディスク装置。
【発明の詳細な説明】
【技術分野】
【０００１】
本発明は、ディスク装置（例えばＢｌｕ−ｒａｙ  Ｄｉｓｃ式のレコーダまたはプレー
ヤ）に関し、特に、安価簡単な構造で組立しやすく歯跳びを生じさせることなく光ピック
アップを円滑に前後進させることができるようにしたものである。
【背景技術】
【０００２】
図７及び図８はディスク装置（例えばＢｌｕ−ｒａｙ  Ｄｉｓｃ式のレコーダまたはプ
レーヤ）の一例を示すものであり、図７は同平面図、図８は同縦断面図である。
【０００３】
図７及び図８に示すように、ターンテーブル１付きスピンドルモータ２と対物レンズＯ
Ｌ付き光ピックアップ３とを搭載したトラバースシャーシ４がローダーシャーシ５内に配
置され、トラバースシャーシ４の後部がゴムからなる後側弾性体６を介してローダーシャ
ーシ５に上下動ａ，ｂ可能に連結され、そのトラバースシャーシ４の前部がゴムからなる
前側弾性体７を介して昇降体８に連結されている。
【０００４】
図７及び図８に示すように、ローダーシャーシ５の前部に横断面略Ｔ字状カムスライダ
１０が矢印ｃ，ｄ方向にスライド可能に配置され、該カムスライダ１０と昇降体８とを連
動連結するカム機構１１が設けられ、該カム機構１１が、カムスライダ１０の垂直部に形
成したカム溝１１ａと、前記昇降体８の前面に一体突設されてカム溝１１ａに嵌入するカ
ムピン１１ｂとからなり、カムスライダ１０の一端に一体形成したカムラック１０ａがロ
ーダーシャーシ５の前部に配置した矢印ｅ，ｆ方向に回転可能な駆動ピニオン１２に噛合
可能に形成されている。更に、ローダーシャーシ５の上部にディスクＤ載置用トレイ１３
が矢印ｇ，ｈ方向に移動可能に配置され、該トレイ１３の裏面に形成したラック（図示せ
ず）が駆動ピニオン１２に対して噛合可能に形成されている。
【０００５】
図７及び図８に示すように、前記光ピックアップ３はトラバースシャーシ４の中央開口
部４ａ内に配置された状態でガイドロッド１５に前後進ｉ，ｊ可能に支持され、該ガイド
ロッド１５と平行するリードスクリュ１６及び該リードスクリュ１６を正逆回転させるス
テッピングモータからなる送りモータ１７がトラバースシャーシ４に配置され、光ピック
アップ３に設けたティース１８がリードスクリュ１６に噛合されている。なお、図７中、
１９はトレイ１３の下面の傾斜面（図示せず）に係合して該トレイ１３を矢印ｇ，ｈ方向
にわずかに移動させるための操作ピン、図８中、２０はクランパである。
【０００６】
動作原理を説明すると、図７及び図８の実線はディスククランプ状態を示すものであっ
て、ディスクＤをターンテーブル１とクランパ２０とでクランプし、スピンドルモータ２
によりターンテーブル１を介してディスクＤを高速回転させ、送りモータ１７を駆動して
リードスクリュ１６を正逆回転させることにより、ティース１８を介して光ピックアップ
３を前後進ｉ，ｊさせ、該光ピックアップ３の対物レンズＯＬからディスクＤにレーザ光
を投射し、その反射光に基づいてディスクＤに記録されている情報を読み取る。
【０００７】
トレイオープン時には、図７及び図８に仮想線で示すように、光ピックアップ３をディ
スクＤの最内周まで前進ｉさせて停止させ、駆動ピニオン１２を矢印ｆ方向に回転させる
ことにより、カムラック１０ａを介してカムスライダ１０を矢印ｃ方向にスライドさせ、
カム機構１１及び昇降体８を介してトラバースシャーシ４を下動ｂさせて傾斜姿勢とし、
ディスクＤをターンテーブル１からトレイ１３に移し替える。
【０００８】
続いて、駆動ピニオン１２とカムラック１０ａとの噛合状態が解除され、カムスライダ
１０の操作ピン１９によりトレイ１３が矢印ｇ方向にわずかに移動されて該トレイ１３の
裏面に形成したラック（図示せず）が駆動ピニオン１２に噛合され、該駆動ピニオン１２
の矢印ｆ方向への回転に伴ってトレイ１３が矢印ｇ方向に押し出され、これにより、オー
プン状態になったトレイ１３上からディスクＤを取り外したり新たなディスクＤを載置す
る。トレイイン時には上記とは逆の手順で操作が行われる。
【０００９】
従来、前記ティース１８として図９〜図１１に示すものがあり、図９は同要部の拡大斜
視図、図１０は同要部の横断面図、図１１は図１０のＣ−Ｃ矢視図である。
【００１０】
図９〜図１１に示すように、前記ティース１８は、合成樹脂製ティース本体２２と、ば
ね２３とからなり、そのティース本体２２は、光ピックアップ３のスライドベース３ａに
ボルト・ナット２４で止着した基枠部２２ａと、該基枠部２２ａに一対の略Ｌ字状弾性ア
ーム２２ｂを介して一体突設した押さえ板２２ｃと、該押さえ板２２ｃに一体形成されて
リードスクリュ１６の螺旋溝１６ａに嵌入する一対の歯部２２ｄとを有し、基枠部２２ａ
のポケット２５内に差し込んだばね２３により押さえ板２２ｃをリードスクリュ１６に押
し付けており、送りモータ１７を駆動してリードスクリュ１６を正逆回転させることによ
り、螺旋溝１６ａを介して歯部２２ｄを押し引きし、光ピックアップ３を前後進ｉ，ｊさ
せる。なお、関連する技術として特許文献１に記載したものがある。
【先行技術文献】
【特許文献】
【００１１】
【特許文献１】特開２０００−３３９８８２号公報
【発明の概要】
【発明が解決しようとする課題】
【００１２】
上記従来の構成では、ティース１８がティース本体２２とばね２３との２部品からなり
、その部品点数が多くて、コストアップになっている。また、ばね２３をティース本体２
２のポケット２５内に差し込むのに手間と時間とがかかって面倒であり、組立作業の能率
性が低い。
【００１３】
歯部２２ｄ付き押さえ板２２ｃをリードスクリュ１６に対してばね２３で一方向より片
面付勢で押し付けているだけであるから、落下試験などで衝撃を受けたときに、歯部２２
ｄがリードスクリュ１６の螺旋溝１６ａから跳び出して歯跳びを起こすおそれがある。
【００１４】
ばね２３の付勢力が強すぎた場合に光ピックアップ３の姿勢が傾いてフォーカスエラー
及びトラッキングエラーを生じさせるおそれがあるし、そのばね２３の付勢力が弱すぎた
場合に歯跳びを起こして光ピックアップ３を所定通りに前後進ｉ，ｊさせることができな
くなるおそれがある。
【００１５】
本発明は、上記従来の欠点に鑑み、安価簡単な構造で組立しやすく歯跳びを生じさせな
いようにしたディスク装置を提供することを目的としている。
【課題を解決するための手段】
【００１６】
上記目的を達成するため、請求項１に記載の発明は、ディスク載置用トレイを移動可能
に支持するローダーシャーシ内にターンテーブル及び光ピックアップを搭載したトラバー
スシャーシが上下動可能に配置され、前記光ピックアップがトラバースシャーシ上のガイ
ドロッドに前後進可能に支持され、該ガイドロッドと平行するリードスクリュと該リード
スクリュを回転させるための送りモータとがトラバースシャーシに配置され、光ピックア
ップに設けたティースがリードスクリュに噛合されており、ターンテーブルによりディス
クを高速回転させ、送りモータによりリードスクリュ及びティースを介して光ピックアッ
プをガイドロッドに沿って前後進させ、該光ピックアップからディスクにレーザ光を投射
し、その反射光に基づいてディスクに記録されている情報を読み取るようにしたディスク
装置において、前記ティースが、合成樹脂材からなり、光ピックアップのスライドベース
に止着した基枠部と、該基枠部に前後進方向所定間隔をおいて並列する複数の弾性変位可
能な弾性アームを介して一体形成された係合枠と、該係合枠の内面に一体形成された歯部
とを有し、係合枠をリードスクリュの上下縁に係合させ、歯部をリードスクリュの螺旋溝
に嵌入させるようにしたことを特徴としている。
【００１７】
請求項２に記載の発明は、請求項１に記載の発明において、前記係合枠が、リードスク
リュの上下縁に当接する上下両板部を備えた横断面略Ｕ字状板材からなり、その上板部ま
たは下板部に歯部が一体形成されていることを特徴としている。
【００１８】
請求項３に記載の発明は、請求項１に記載の発明において、前記係合枠が、所定幅の空
隙を間において並列されリードスクリュの上縁に当接する一対の細板部と前記空隙に対向
してリードスクリュの下縁に当接する下板部とを備えた横断面略Ｕ字状部材からなり、そ
の下板部に歯部が一体形成されていることを特徴としている。
【発明の効果】
【００１９】
請求項１に記載の発明によれば、ティースが１つの合成樹脂材からなり、従来のばねが
不要であり、コストダウンを図ることができる。また、組立時には、ティースの係合枠を
リードスクリュに係合させて、歯部をリードスクリュの螺旋溝に嵌入させるだけでよく、
組立作業を能率的に行なうことができる。更に、ティースにばねが用いられていないので
、そのばねの付勢力が強すぎたり弱すぎることによる従来の難点を解消することができ、
フォーカスエラー及びトラッキングエラーを減少させることができる。
【００２０】
リードスクリュを係合枠で上下から挟んでいるので、落下試験などで衝撃を受けたとき
に、歯部がリードスクリュの螺旋溝から跳び出すことがなく、歯跳びを解消することがで
きる。
【００２１】
ティースの基枠部と係合枠とを連結する複数の弾性アームは上下方向に容易に弾性変位
されるから、リードスクリュがガイドロッドに対して上下方向に傾いていても、その傾き
に追従して複数の弾性アームが上下方向に適度に弾性変形されて、その傾いているリード
スクリュに沿って係合枠を円滑に移動させることができる。
【００２２】
複数の弾性アームを前後進方向に所定間隔をおいて並列させており、その複数の弾性ア
ームが前後進方向にはほとんど弾性変位されないため、その複数の弾性アームを介して送
りモータの駆動力を光ピックアップにそのまま伝達して、その光ピックアップを所定通り
確実に前後進させることができる。
【００２３】
請求項２に記載の発明によれば、横断面略Ｕ字状板材からなる係合枠の上下両板部とリ
ードスクリュの上下縁との前後進方向に沿う接触範囲を大きくしているから、その係合枠
をリードスクリュに沿って円滑に移動させることができる。
【００２４】
請求項３に記載の発明によれば、係合枠が一対の細板部と歯部付き下板部とからなり、
軽量化されているので、その係合枠をリードスクリュに沿って軽快に移動させることがで
きる。
【図面の簡単な説明】
【００２５】
【図１】本発明の実施の一形態であるディスク装置の要部の拡大斜視図である。
【図２】同要部の横断面図である。
【図３】図２のＡ−Ａ矢視図である。
【図４】本発明の実施の他の形態であるディスク装置の要部の拡大斜視図である。
【図５】同要部の横断面図である。
【図６】図５のＢ−Ｂ矢視図である。
【図７】ディスク装置の一例を示す平面図である。
【図８】同縦断面図である。
【図９】従来例を示す要部の拡大斜視図である。
【図１０】同要部の横断面図である。
【図１１】図１０のＣ−Ｃ矢視図である。
【発明を実施するための形態】
【００２６】
図１〜図３は本発明の実施の一形態であるディスク装置の要部を示すものであり、これ
はＢｌｕ−ｒａｙ  Ｄｉｓｃ式のレコーダ（またはプレーヤ）であって、ティース１８が
、合成樹脂材からなり、光ピックアップ３のスライドベース３ａにボルト・ナット２４で
止着した基枠部２６と、該基枠部２６に前後進ｉ，ｊに所定間隔ｈをおいて並列する複数
（この実施の形態では一対）の弾性変位可能な弾性アーム２７を介して一体形成された係
合枠２８とを有し、該係合枠２８が、リードスクリュ１６の上下縁に当接する上下両板部
２８ａ，２８ｂを備えた横断面略Ｕ字状板材からなり、その上板部２８ａ（または下板部
２８ｂ）に歯部２９が一体形成され、歯部２９がリードスクリュ１６の螺旋溝１６ａに嵌
入されている。
【００２７】
動作原理を説明すると、送りモータ１７（図７参照）を駆動してリードスクリュ１６を
正逆回転させることにより、螺旋溝１６ａを介して歯部２９を押し引きし、ティース１８
を介して光ピックアップ３を前後進ｉ，ｊさせる。上記以外の構成は図７〜図１１に示す
構成とほぼ同じであるから、同一部分に同一符号を付してその説明を省略する。
【００２８】
上記構成によれば、ティース１８が１つの合成樹脂材からなり、従来のばね２３（図９
参照）が不要であり、コストダウンを図ることができる。また、組立時には、ティース１
８の係合枠２８をリードスクリュ１６に係合させて、歯部２９をリードスクリュ１６の螺
旋溝１６ａに嵌入させるだけでよく、組立作業を能率的に行なうことができる。更に、テ
ィース１８にばね２３（図９参照）が用いられていないので、そのばね２３の付勢力が強
すぎたり弱すぎることによる従来の難点を解消することができ、フォーカスエラー及びト
ラッキングエラーを減少させることができる。
【００２９】
リードスクリュ１６を係合枠２８で上下から挟んでいるので、落下試験などで衝撃を受
けたときに、歯部２９がリードスクリュ１６の螺旋溝１６ａから跳び出すことがなく、歯
跳びを解消することができる。
【００３０】
ティース１８の基枠部２６と係合枠２８とを連結する複数の弾性アーム２７は前後進ｉ
，ｊ方向とは直交する上下方向ｍ，ｎに容易に弾性変位可能であるから、リードスクリュ
１６がガイドロッド１５（図７参照）に対して上下方向ｍ，ｎに傾いていても、その傾き
に追従して複数の弾性アーム２７が上下方向ｍ，ｎに適度に弾性変形されて、その傾いて
いるリードスクリュ１６に沿って係合枠２８を円滑に移動させることができる。
【００３１】
複数の弾性アーム２７を前後進ｉ，ｊ方向に所定間隔ｈをおいて並列させているから、
その複数の弾性アーム２７が前後進ｉ，ｊ方向にはほとんど弾性変位されない。このため
、その複数の弾性アーム２７を介して送りモータ１７の駆動力を光ピックアップ３にその
まま伝達して、その光ピックアップ３を所定通り確実に前後進させることができる。
【００３２】
横断面略Ｕ字状板材からなる係合枠２８の上下両板部２８ａ，２８ｂとリードスクリュ
１６の上下縁との前後進ｉ，ｊ方向に沿う接触範囲を大きくしているから、その係合枠２
８をリードスクリュ１６に沿って円滑に移動させることができる。
【００３３】
図４〜図６は本発明の実施の他の形態であるディスク装置の要部を示すものであり、こ
れはＢｌｕ−ｒａｙ  Ｄｉｓｃ式のレコーダ（またはプレーヤ）であって、ティース１８
の係合枠２８が、所定幅ｔの空隙３１を間において並列されリードスクリュ１６の上縁に
当接する一対の細板部２８ｃと、前記空隙３１に対向してリードスクリュ１６の下縁に当
接する下板部２８ｄとを備えた横断面略Ｕ字状部材からなり、その下板部２８ｄに歯部２
９が一体形成されている。上記以外の構成は図１〜図３に示す実施の一形態とほぼ同じで
あるから、同一部分に同一符号を付してその説明を省略する。
【００３４】
上記構成によれば、係合枠２８が一対の細板部２８ｃと歯部２９付き下板部２８ｄとか
らなり、軽量化されているので、その係合枠２８をリードスクリュ１６に沿って軽快に移
動させることができる。
【符号の説明】
【００３５】
１          ターンテーブル
３          光ピックアップ
４          トラバースシャーシ
５          ローダーシャーシ
１３        トレイ
１５        ガイドロッド
１６        リードスクリュ
１７        送りモータ
１８        ティース
２６        基枠部
２７        弾性アーム
２８        係合枠
２８ａ      係合枠の上板部
２８ｂ      係合枠の下板部
２８ｃ      係合枠の細板部
２８ｄ      係合枠の下板部
２９        歯部
Ｄ          ディスク
【図１】
2010282693.tif 000003
【図２】
2010282693.tif 000004
【図３】
2010282693.tif 000005
【図４】
2010282693.tif 000006
【図５】
2010282693.tif 000007
【図６】
2010282693.tif 000008
【図７】
2010282693.tif 000009
【図８】
2010282693.tif 000010
【図９】
2010282693.tif 000011
【図１０】
2010282693.tif 000012
【図１１】
2010282693.tif 000013